(57)【要約】【課題】ＢＬＳＲ切替え時のコンカチネーション設定時間を減少させ、高速にＢＬＳＲ切替えによる障害復旧を行う技術を提供する。【解決手段】双方向リング切替機能を備えたリングシステムを構成するための伝送装置に、双方向リング切替のための切替要求を受信信号から検出する手段と、切替要求に含まれる伝送装置の識別子を用いて、その識別子に対応するリングシステムにおける伝送装置のコンカチネーション設定情報を取得する手段と、取得したコンカチネーション設定情報に基づき予備回線に対してコンカチネーションの設定をする手段とを備える。【選択図】  図６
2004304367.tif 000002
【特許請求の範囲】
【請求項１】
双方向リング切替機能を備えたリングシステムを構成するための伝送装置であって、
双方向リング切替のための切替要求を受信信号から検出する手段と、
切替要求に含まれる伝送装置の識別子を用いて、その識別子に対応するリングシステムにおける伝送装置のコンカチネーション設定情報を取得する手段と、
取得したコンカチネーション設定情報に基づき予備回線に対してコンカチネーションの設定をする手段とを備えたことを特徴とする伝送装置。
【請求項２】
前記取得する手段は、
リングシステムにおける各伝送装置のコンカチネーション設定情報を各伝送装置の識別子に対応付けて保持する手段と、
前記切替要求に含まれる識別子と同じ識別子に対応するコンカチネーション設定情報を前記保持する手段から取得する手段とを有する請求項１に記載の伝送装置。
【請求項３】
リングシステムにおける現用回線を流れる信号のコンカチネーション設定を検出する手段と、
検出したコンカチネーション設定の情報に自伝送装置の識別子を付加して他の伝送装置に送信する手段とを更に備えた請求項２に記載の伝送装置。
【請求項４】
所定のコマンドを受信したときに、前記保持する手段に保持された保持情報に自伝送装置の識別子を付与して他の伝送装置に送信する手段と、
他の伝送装置から保持情報を受信したときに、その保持情報に自伝送装置のコンカチネーション設定情報を書き込み、他の伝送装置にその保持情報を送信する手段とを更に有する請求項３に記載の伝送装置。
【請求項５】
双方向リング切替機能を備えたリングシステムを構成する伝送装置におけるコンカチネーション設定方法であって、
双方向リング切替のための切替要求を受信信号から検出するステップと、
切替要求に含まれる伝送装置の識別子を用いて、その識別子に対応するリングシステムにおける伝送装置のコンカチネーション設定情報を取得するステップと、
取得したコンカチネーション設定情報に基づき予備回線に対してコンカチネーションの設定をするステップとを有することを特徴とするコンカチネーション設定方法。
【発明の詳細な説明】
【０００１】
【発明の属する技術分野】
本発明は、ＳＤＨ伝送ネットワークにおける双方向リング切替（ＢＬＳＲという）技術に関し、特に、複数のコンカチネーションの種別に対応したクロスコネクト機能を有する伝送装置におけるＢＬＳＲ技術に関するものである。
【０００２】
【従来の技術】
近年、ＳＤＨ（北米ではＳＯＮＥＴという）伝送ネットワークのリングシステムにおける予備切替方式として、パスの収容効率がよいＢＬＳＲ方式が多く用いられている。更に、回線利用者の必要に応じた容量のパスを柔軟に提供するため、複数のコンカチネーションの種別に対応したクロスコネクトサービスがリングシステムを構成する伝送装置で提供される。なお、コンカチネーションとは、ＡＵ４などの信号の基本単位を連結して大容量化を実現する技術である。例えば、ＡＵ４をＸ個連結する場合にはＡＵ４−Ｘｃと表記される。
【０００３】
図１を用いて４ファイバ構成のリングシステムにおけるＢＬＳＲによるリング切替えの概念を説明する。図１のリングシステムは、７つのノード（ノード１〜ノード７）と各隣接ノード間を接続する４本のファイバとからなる。時計方向、反時計方向でおのおの現用と予備の２本づつのファイバが割り当てられる。図１において実線が現用回線、点線が予備回線である。なお、２ファイバ構成の場合には、１本のファイバ内で現用、予備と帯域が分けられる。
【０００４】
図１において、正常時にノード２で挿入（アド）されてノード５で分離（ドロップ）されるパスがあるとして、ノード３とノード４間の時計回りの現用と予備のファイバに障害が発生したとする。この場合、障害を受けた現用回線がノード３で送信切替え（ブリッジ）されて反時計回りの予備回線にループバックされ、ノード４で受信切替え（スイッチ）がされ、時計方向の現用回線に戻されてノード５から分離される。これによりパスが救済される。
【０００５】
上記のようなＢＬＳＲの切替制御は、切替に関する情報を、セクションオーバーヘッド（ＳＯＨ）内のＫ１バイトとＫ２バイト（まとめてＫバイトという。また、これらは自動切替（ＡＰＳ）制御のためのバイトであるのでまとめてＡＰＳバイトともいう）を利用してリングを構成する各ノードに伝達することにより行われる。
【０００６】
図２に、図１におけるノードとして用いられる従来の伝送装置１０の構成例を示す。同図に示すように、Ｗｅｓｔ側、Ｅａｓｔ側のおのおのに対して、信号を変換するためのＥ／Ｏ（電気／光変換部）１３、１４、Ｏ／Ｅ（光／電気変換部）１１、１２、オーバヘッド挿入部１５、１６、オーバヘッド終端部１７、１８、ポインター挿入部１９、２０、ポインター検出部２１、２２、信号救済のための信号の折り返しを行うブリッジ２３、２４とスイッチ２５、２６、そして信号の方路を決定するマトリクススイッチ２７、２８を有している。なお、Ｅａｓｔ、Ｗｅｓｔは伝送装置における方向を区別するためのものである。同図中、ＷＲはＷｅｓｔ側からの受信を示し、ＷＳはＷｅｓｔ側からの送信を示す。ＥＲ、ＥＳについても同様である。また、ＷＥはＷｅｓｔ側からＥａｓｔ側への方向を示し、ＥＷはＥａｓｔ側からＷｅｓｔ側への方向を示す。
【０００７】
また、伝送装置１０は、アド（Ａｄｄ：挿入）／ドロップ（Ｄｒｏｐ：分離）する低次の信号を扱うためのトリビュタリインタフェース２９と、Ｋ１、Ｋ２バイトに基づきＢＬＳＲ制御を行うＢＬＳＲ制御部３０を有している。
【０００８】
次に伝送装置１０の主要な部分について、ＢＬＳＲとコンカチネーションに関連した動作を説明する。
【０００９】
正常状態では、例えばＥａｓｔ側から入力された信号は、マトリクススイッチＥＷ２８を介してＷｅｓｔ側から出力される。また、必要に応じてトリビュタリインタフェース２９を介して信号のアド／ドロップがなされる。
【００１０】
オーバヘッド終端部１７、１８はＳＴＭ信号のＫバイトを含むオーバヘッドを終端し、ＢＬＳＲ制御部３０がＫバイトをモニタしている。また、ＢＬＳＲ制御部３０は、切替要求などを発信するためのＫ１、Ｋ２バイトの設定をオーバヘッド挿入部１５、１６に対して行い、オーバヘッド挿入部１５、１６が、ＢＬＳＲ制御部３０により設定されたＫ１、Ｋ２バイトの挿入を行う。
【００１１】
伝送装置１０がＢＬＳＲの切替えを実行する場合、例えば、ブリッジ２４がＷＥ方向の現用回線の信号をＥＷ方向の予備回線に折り返し、スイッチ２５がＥＷ方向の予備回線の信号をＷＥ方向の現用回線に折り返す。すなわち、ブリッジは信号を現用回線から反対方向の予備回線に折り返し、スイッチは信号を予備回線から反対方向の現用回線に折り返す。なお、本明細書における“回線”とは、伝送装置内における信号を流すための手段を含む意味で使用する。
【００１２】
ポインター検出部２１、２２はオーバヘッドの中のポインターバイトからコンカチネーションの種別を認識し、ポインター挿入部１９、２０は、ポインター検出部で検出したポインターと伝送装置１０内部の設定に基づき、送出する信号にポインターバイトを設定する。例えば、Ｅａｓｔ側から受信した信号をそのままＷｅｓｔ側から送信するスルー設定の場合には、ポインター検出部２２で検出されたポインターと同じポインターがポインター挿入部１９で挿入される。
【００１３】
コンカチネーションの種別（基本単位の信号をいくつ連結したかによる種別）は、ＳＴＭ信号のオーバヘッドの中のＡＵポインターにおけるＨ１バイトとＨ２バイトにより決められる。図３にＨ１、Ｈ２バイトのビット割り当てを示す。
【００１４】
例えば、ＡＵ４−ＸｃのポインターをＡＵ４＃１ポインター、ＡＵ４＃２ポインター、〜、ＡＵ４＃Ｘポインターとすると、ＡＵ４＃１ポインターを通常のポインター値とし、ＡＵ４＃２ポインター、〜、ＡＵ４＃ＸポインターのそれぞれのＨ１バイト、Ｈ２バイトを“１００１ＳＳ１１１１１１１１１１”（ＳＳビットは規定なし）とすることによりＡＵ４−Ｘｃのコンカチネーションが実現される。“１００１ＳＳ１１１１１１１１１１”をＣＩ（コンカチネーションインディケーション）という。
【００１５】
図４は、従来の技術におけるＢＬＳＲの切替制御のシーケンス例を示す図である。同図において各ノード間の矢印の上にＫ１、Ｋ２バイト（ＡＰＳバイト）の内容を示している。図４は、図１の場合の例、すなわちノード４がノード３と４の間の現用、予備の信号故障を検出した場合の例である。
【００１６】
図４の説明をするにあたり、まず、図５を用いてＡＰＳバイトの構成について説明する。図５に示すように、Ｋ１バイトのビット１から４ビットまでが切替要求（リング／ブリッジリクエスト）であり、リング切替えの場合の信号故障による要求はＳＦ−Ｒで示される。Ｋ１バイトのビット５から８は切替要求の送信先を示し、Ｋ２バイトのビット１から４は切替要求の送信元を示し、ビット５は長パス（Ｌ）か短パス（Ｓ）を示し、ビット６から８は多重セクションの状態を示す。なお、装置間を直接接続しているほうを短パスと定義し、他の装置を経由するほうを長パスと定義している。例えば、（ｂ）に示すＳＦ−Ｒ／３／４／Ｌ／Ｉｄｌｅは、切替え要因がＳＦ−Ｒで、送信側がノード３、送信元がノード４、長パスＬを用いて、状態がアイドルであることを示している。
【００１７】
図４に示すシーケンスにおいて、時間Ａ（ＴｉｍｅＡ）でノード４が信号故障（ＳＦ障害）を検出すると、ノード４は両方向に図４に示す切替要求を送信する。図中、時間Ａから時間Ｂの間、スイッチ／ブリッジを行わない中間のノードであるノード１、２、５、６、７では、切替要求を受信すると予備回線に対してフルパススルー設定（以下、スルー設定という）を行う。これは、予備回線が現用として使用されている場合、スルー設定になっていないことも考えられるためである。
【００１８】
切替要求元のノード４から送信した切替要求がＬパス（障害発生と逆方向のリングを迂回するルート）経由で対向ノード３に到達した段階で対向ノード３によるブリッジ制御が行われ、初めて主信号が現用回線から予備回線に流れ込む（時間Ｃ）。なお、図４の例では逆方向のブリッジ制御も行われている。また、ノード３とノード４のおのおのから切替えをしたことを示す信号（状態がＢｒ＆Ｓｗとなっている信号）が他のノードに伝えられる。
【００１９】
ここで、ＡＵ３、ＡＵ４、ＡＵ４−４ｃ、ＡＵ４−１６ｃ等の複数のコンカチネーション種別のパスを含むリングシステムでは、予備回線に折り返そうとする信号はそれまで予備回線に流れていた信号のコンカチネーションの種別とは異なるのが一般的であるため、予備回線のコンカチネーションの種別を、予備回線に折り返そうとする信号のコンカチネーションの種別に合わせることが必要となる。
【００２０】
そこで、図４に示す従来の技術では、各ノードがポインター検出部により折り返される信号におけるポインターバイト内のＣＩによりコンカチネーションの種別を自動検出し、コンカチネーションの種別を合わせてから次のノードに信号を送出している。
【００２１】
【特許文献１】
特開２０００−１９７１６７号公報
【００２２】
【発明が解決しようとする課題】
しかしながら、上記のようなコンカチネーションの設定方法では、通常行われる検出保護によりコンカチネーション種別の確定に時間を必要とし、結果としてコンカチネーションの設定に時間がかかり、遅延が発生するという問題がある。図４において各ノードで迂回信号（図中、Ｐｒｏｔｅｃｔｉｏｎ迂回信号と表記した信号）を受けてから次のノードにその信号を送出するまでの長方形の縦の長さがその遅延時間を示している。
【００２３】
ここで、ＳＤＨにおける１フレームは１２５μｓｅｃなので、３段の保護の場合、１２５×３＝０．３７５ｍｓｅｃがコンカチネーションの確定に必要となる。この処理が、受信側のポインター検出部と、送信側ポインター挿入部で行われるため１ノード当たり０．３７５＋０．３７５＝０．７２５ｍｓｅｃの遅延となる。従って、ＢＬＳＲでの最大中継ノード数である１４ノードの場合には、０．７２５×１４＝１０．１５ｍｓｅｃの遅延が発生する。すなわち、図４に示すように、自動切替えのプロトコルによる信号が一周してから約１０ｍｓ後に主信号が復帰する。
【００２４】
さて、ＢＬＳＲでは５０ｍｓｅｃ以内の障害復旧を性能の基準とするが、コンカチネーションの設定による遅延はこの内の約２０％を占める。その他にノード内の伝送遅延や光ファイバーの伝搬遅延を含めると切替制御後の信号復旧遅延が多くを占め、切替制御の処理に割り当てられる時間や複数リングのＢＬＳＲ切替を並行実施するためのマージンが圧迫されているという問題がある。これは、ネットワーク構成の大規模化により伝送装置による複数のリングシステムのサポートが要求されているという現状からして問題である。
【００２５】
本発明は上記の点に鑑みてなされたものであり、ＢＬＳＲ切替え時のコンカチネーション設定時間を減少させ、高速にＢＬＳＲ切替えによる障害復旧を行う技術を提供することを目的とする。
【００２６】
【課題を解決するための手段】
上記の課題は、双方向リング切替機能を備えたリングシステムを構成するための伝送装置に、双方向リング切替のための切替要求を受信信号から検出する手段と、切替要求に含まれる伝送装置の識別子を用いて、その識別子に対応するリングシステムにおける伝送装置のコンカチネーション設定情報を取得する手段と、取得したコンカチネーション設定情報に基づき予備回線に対してコンカチネーションの設定をする手段とを備えることにより解決する。
本発明によれば、切替要求に含まれる伝送装置の識別子により、切替後にどの伝送装置の信号が流れてくるかを判断することができ、その識別子に対応するコンカチネーション設定情報を取得することにより、切替要求を受信した段階で予備回線に対してのコンカチネーションの設定をすることが可能となる。従って、従来のように切替え後に受信する迂回信号に基づきコンカチネーションの設定をする必要がなくなり、このために生じていた遅延が解消する。
【００２７】
前記取得する手段は、リングシステムにおける各伝送装置のコンカチネーション設定情報を各伝送装置の識別子に対応付けて保持する手段と、前記切替要求に含まれる識別子と同じ識別子に対応するコンカチネーション設定情報を前記保持する手段から取得する手段とを有するように構成することができる。これにより、コンカチネーション設定情報を迅速に取得することができる。
また、前記取得する手段は、前記切替要求とともに受信するコンカチネーション設定情報を取得するようにしてもよい。この場合、リングシステムにおける特定の伝送装置が切替要求とともにコンカチネーション設定情報を流す。
【００２８】
また、上記の伝送装置は、リングシステムにおける現用回線を流れる信号のコンカチネーション設定を検出する手段と、検出したコンカチネーション設定の情報に自伝送装置の識別子を付加して他の伝送装置に送信する手段とを更に備えるようにしてもよい。
【００２９】
本発明によれば、最新のコンカチネーション設定をリング内に巡回させることができ、リング内の各伝送装置は最新のコンカチネーション設定情報を保持しておくことが可能となる。
【００３０】
前記送信する手段は、自伝送装置に対応付けられた識別子が変更されたときにその変更された識別子を前記コンカチネーション設定の情報に付加して他の伝送装置に送信するようにしてもよい。これにより、識別子が変更された場合でも新たな識別子を反映させたコンカチネーション設定情報を各伝送装置が保持できる。
【００３１】
また、所定のコマンドを受信したときに、前記保持する手段に保持された保持情報に自伝送装置の識別子を付与して他の伝送装置に送信する手段と、他の伝送装置から保持情報を受信したときに、その保持情報に自伝送装置のコンカチネーション設定情報を書き込み、他の伝送装置にその保持情報を送信する手段とを更に有するように構成してもよい。これにより、保守者があるコマンドを投入するだけで各伝送装置で保持するコンカチネーション設定情報を更新できる。
【００３２】
【発明の実施の形態】
以下、図面を参照して本発明の実施の形態について説明する。
【００３３】
本発明の実施の形態では、リングネットワーク内の各ノードの現用回線に流れる信号のコンカチネーションの設定情報を予め全ノードに保持させておき、ＢＬＳＲの切替要求が発信された段階で、切替要求送信元ノードの設定状態をリングネットワーク内の全ノードのリング切替えに用いる予備回線に対して設定する。
【００３４】
図６に本発明の実施の形態における伝送装置４０の構成を示す。図６に示す伝送装置は図１に示した伝送装置１０と比較して、ポインター検出部２１、２２の代わりにポインター終端部４１、４２が備えられ、コンカチネーション情報制御部４３が新たに備えられている。また、コンカチネーション情報制御部４３はコンカチネーション設定情報テーブル４４を有し、コンカチネーション設定情報テーブル４４はリングを構成する全ノードのＥａｓｔ／Ｗｅｓｔ別のコンカチネーション設定パターンを保持している。なお、ポインター終端部４１、４２は、従来の伝送装置におけるポインター検出部２１、２２の機能も有している。また、ＢＬＳＲ制御部４５は、従来の伝送装置におけるＢＬＳＲ制御部３０の機能に加えて、コンカチネーション情報制御部４３にＢＬＳＲ制御情報を渡す機能を有している。
【００３５】
図６に示す伝送装置４０は、リングシステムでＢＬＳＲ切替えが行われる際に次のように動作する。
【００３６】
ＢＬＳＲ制御部４５が、オーバヘッド終端部１７、１８におけるＫバイトをモニタし、ＫバイトをＢＬＳＲ制御情報としてコンカチネーション情報制御部４３に渡す。
【００３７】
コンカチネーション情報制御部４３は、Ｋバイトで示される切替要求における送信元ノードと送信先ノードの情報から、切替えを必要とするノードを判断し、そのノードのコンカチネーション設定パターンをコンカチネーション設定情報テーブル４４より取り出して、ポインター終端部４１、４２にコンカチネーション設定を実施させる。
【００３８】
ポインター終端部４１、４２は、通常の状態では従来のポインター検出部２１、２２と同様にしてポインターの検出を行っているが、コンカチネーション情報制御部４３からの上記コンカチネーション設定指示により、受信ポインターバイトからのＣＩの判定を止め、コンカチネーション情報制御部４３から指示されたコンカチネーション設定パターンに従ってコンカチネーション種別を確定するようにする。
【００３９】
図７にコンカチネーション設定情報テーブル４４の詳細を示す。
【００４０】
図７に示すように、ノードＩＤ毎に、現用回線におけるコンカチネーションのＥａｓｔ側設定とＷｅｓｔ側設定が記録されている。なお、この設定はポインタ受信によって判定される側のコンカチネーションの設定である。
【００４１】
本実施の形態における設定パターンは、チャンネル単位（例えばＡＵ３）に１ビットを割り当て、先頭チャンネルを０、先頭チャンネルに続いて順次連結される従属チャンネルを１と定義している。
【００４２】
例えば、ビットパターンが０、１、１、０であれば、１番目のチャンネルに対して２番目と３番目のチャンネルが従属チャンネルであり、３本のチャンネルを束ねたコンカチネーションであることを意味している。設定パターンの長さはチャンネル数分必要であり、例えば、ＳＴＭ１６（ＳＯＮＥＴではＯＣ４８）の信号伝送を行う場合は４８ビット分必要であり、ＳＴＭ６４（ＳＯＮＥＴではＯＣ１９２）の場合は１９２ビット分必要となる。
【００４３】
このようなコンカチネーション設定情報テーブルの構成に基づき、コンカチネーション情報制御部４３は、Ｋバイトの内容に応じて以下の判断をする。
【００４４】
Ｗｅｓｔ（Ｗｅｓｔ−ＩＮ）側からＳＦ−Ｒ切替要求を受信した場合は、そのＫバイトに示される切替要求元ノードＩＤのＷｅｓｔ側コンカチネーション設定パターンをテーブルから取り出し、ポインター終端部４２（ＥＲ）に設定指示する。また、宛先ノードＩＤのＥａｓｔ側コンカチネーション設定パターンをポインター終端部４１（ＷＲ）に設定指示する。
【００４５】
Ｅａｓｔ（Ｅａｓｔ−ＩＮ）側からＳＦ−Ｒ切替要求を受信した場合は、そのＫバイトに指示される要求元ノードＩＤのＥａｓｔ側コンカチネーション設定パターンをテーブルより取り出し、ポインター終端部４１（ＷＲ）に設定指示する。また、宛先ノードＩＤのＷｅｓｔ側コンカチネーション設定パターンをポインター終端部４２（ＥＲ）に設定指示する。なお、中間ノードではフルパススルー設定がなされるので、ポインター終端部で確定されたコンカチネーション設定がそのままポインター挿入部で挿入される。
【００４６】
なお、上記の例ではＥａｓｔ側、Ｗｅｓｔ側の両側で設定を行っているが、信号救済のために実際に予備回線を使用するのが片側だけである場合には、片側だけの設定でもよい。
【００４７】
上記のような設定がＳＦ−Ｒ切替要求を受信した各ノードで行われる。例えば、図１において回線故障後に、ノード２がノード３からＳＦ−Ｒ／４／３／Ｌ／ＩｄｌｅをＥａｓｔ側から受信したとすると、要求元ノード３のＥａｓｔ側コンカチネーション設定パターン（ノード３が反時計方向現用回線を受信する際のコンカチネーション設定パターン）をテーブルより取り出し、ノード２のポインター終端部４１（ＷＲ）（時計方向予備回線の受信側）に設定指示する。また、宛先ノード４のＷｅｓｔ側コンカチネーション設定パターン（ノード４が時計方向現用回線を受信する際のコンカチネーション設定パターン）をノード２のポインター終端部４２（ＥＲ）（反時計方向予備回線の受信側）に設定指示する。このような方法による設定が各ノードでなされることにより救済しようとするノード間回線と同じコンカチネーション設定が各ノードでなされることになる。
【００４８】
上記のように、切替要求を受信した段階で、各ノードのコンカチネーション設定を先行して実施しておくことにより、ブリッジ（送信切替え）された信号が予備回線に流れる段階でのコンカチネーション設定遅延をなくすことができる。
【００４９】
図８に、本実施の形態の伝送装置４０を各ノードに使用した場合におけるＢＬＳＲの切替制御のシーケンス例を示す。図８は、図４の場合と同様に、ノード４がノード３と４の間の現用、予備の信号故障を検出した場合の例である。
【００５０】
ノード４は信号故障を検出すると、両方向に切替要求を送信する。時間Ａから時間Ｂにかけて、切替要求を受信したノードは、フルパススルー設定をして隣接ノードに切替要求を送信するとともに、コンカチネーション設定処理を行う。すなわち、受信したＫ１、Ｋ２バイトから要求元と送信先を認識し、それに基づき、各ノードにあるコンカチネーション情報設定テーブルからコンカチネーション設定パターンを取り出してコンカチネーション設定を行う。すなわち、ポインター終端部への指示及びポインター終端部が指示されたコンカチネーション設定パターンでコンカチネーションを確定することを実行するよう設定を行う。
【００５１】
図中、時間Ａから時間Ｂにおいて、各ノード例えばノード２で、切替要求を受信し、その要求を解釈してノード１に同じ切替要求を送信するとともに、フルパススルー設定をし、上述のコンカチネーション設定を行う。図の最初の縦長の長方形の長さが、切替要求を受信し、ノード１に同じ切替要求を送信するとともに、フルパススルー設定をする時間を表し、次の縦長の長方形の長さがコンカチネーション設定をする時間を表している。
【００５２】
切替要求がリングを１周してから、ノード３と４において切替え（ブリッジ／スイッチ）が実行され（時間Ｃ）、切替えが行われたことが各ノードに伝えられる。また、迂回信号が予備回線に流される。従来の技術では、ここで各ノードが迂回信号のポインターを検出することによりコンカチネーション設定を行っていたが、本発明では、既にコンカチネーション設定が行われているので、その設定のための遅延は発生しない。すなわち、従来技術を示す図４では、状態がＢｒ＆Ｓｗの信号をノードが受信した後に次のノードにその信号を送信してから、相当の遅延時間を経過した後に迂回信号が送信されている。これはコンカチネーション設定によるものである。一方、本発明の実施の形態では、図８に示すように、従来技術で発生したような遅延は発生せず、状態がＢｒ＆Ｓｗの信号がリングを１周するのとほぼ同じ時間に迂回信号も１周する。従って、従来技術のような約１０ｍｓの遅延が発生することなく主信号が復帰する。
【００５３】
上記の通り、切替要求を出すノードの対向ノードに切替要求が到達する過程で迂回ルート上の全てのノードにおいて予備回線に流す信号のコンカチネーション設定を先に実施しているため、対向ノードのブリッジにより予備回線に流れ込んだ信号が各ノードを迂回する際にはコンカチネーション設定処理の遅延を受けることがなくなる。
【００５４】
（コンカチネーション設定情報テーブルの設定方法）
次に、このようなコンカチネーション設定に用いられるコンカチネーション設定情報テーブル４４の設定方法について説明する。
【００５５】
現用回線に流れる信号のコンカチネーションの状態はクロスコネクト設定によりＥａｓｔ／Ｗｅｓｔ回線におけるコンカチネーション設定が決定され反映されるが、ここで決定したコンカチネーション状態をデータコード化し（データコード化したものを上記のコンカチネーション設定パターンと呼ぶ）、各ノードが自ノードとリング内の他の全てのノードのコンカチネーション設定パターンを保持するようにする。
【００５６】
すなわち、検出したコンカチネーション設定パターンを自ノードのＩＤを付加した上でリング内の全てのノードに送るとともに、各ノードでは受信した他ノードのコンカチネーション設定パターンをＩＤと対応付けて自ノードの記憶装置（メモリーなど）に保存する。
【００５７】
上記のテーブル設定を実行するタイミングは現用回線のコンカチネーション設定が変更されたときとする他、ノードＩＤが変更された時、及びオペレータより特定のコマンドで指示されたときなどがある。
【００５８】
次に、上記の設定方法を詳細に説明する。まず、現用回線のコンカチネーション設定が変更されたときにテーブル設定を実行する場合について図９のフローチャートを参照して説明する。
【００５９】
ＢＬＳＲを行うリングシステムにおいて回線設定のためにクロスコネクトの設定変更を実施した際、設定変更が行われたノードは自ノードに対するドロップ・クロスコネクトもしくはスルー・クロスコネクトによる回線使用のコンカチネーション設定パターンをコンカチネーション情報制御部４３にあるコンカチネーション設定情報テーブル４４の自ノードのエリアに格納する（ステップＳ１）。すなわち、コンカチネーション設定パターンはクロスコネクト設定により決定され、そのコンカチネーション設定パターンをまず自ノードのエリア、すなわち自ノードＩＤに対応するエリアに格納する。
【００６０】
そして、コンカチネーション情報制御部４３はクロスコネクトの変更によって生じた自ノードのコンカチネーション設定パターンに自ノードＩＤを付与し、そのノードＩＤとコンカチネーション設定パターンとをリング上にある他のノードに対して信号のオーバヘッドの空きを利用して送信する（ステップＳ２）。
【００６１】
図１０はＡＵ４をＳＴＭ１に収容する場合におけるオーバヘッドの構成を示す図であり、図中の未定義の部分が空きの部分である。ここで前述した通りＳＴＭ１６の場合でもコンカチネーション設定パターンは４８ビット分×２すなわち１２バイト分あればよく、図１０に示すようにＳＴＭ１の分だけでも空きは十分にある。ＳＴＭ１６の場合には空きの情報量が更に大きくなる。なお、ＡＵ４の場合には、３つのＡＵポインタのうち最初のＡＵポインタを除く残り２つのＡＵポインタにＣＩが使用されている。
【００６２】
さて、コンカチネーション情報制御部４３がクロスコネクトの変更によって生じた自ノードのコンカチネーション設定パターンを他ノードに送信した後、ステップＳ３にてコンカチネーション設定パターンを受信したノードは、付与されたノードＩＤが自ノードのノードＩＤでなければ（ステップ４のＮＯ）、そのコンカチネーション設定パターンを自ノードのコンカチネーション設定情報テーブルにある該当ＩＤエリアに格納し（ステップＳ５）、受信したコンカチネーション設定パターンとノードＩＤを次のノードに送信する（ステップＳ６）。
【００６３】
コンカチネーション設定パターンがリング内を一周し、送信を開始したノードに戻った時点で、その情報を破棄する（ステップＳ４のＹＥＳ、ステップＳ７）。
【００６４】
このようにしてクロスコネクト設定変更によって生じるコンカチネーション情報の変更をネットワーク上の全ノードが送信しあうことで、各ノードがどのようなコンカチネーションで回線運用されているかという運用情報を共有することができる。
【００６５】
また、上記の処理によりクロスコネクトの変更がコンカチネーション情報設定テーブルに反映されるので、最新の状態に基づくコンカチネーション情報設定テーブルを保持することが可能となる。
【００６６】
ネットワーク構成の変更などにより、ノードＩＤが変更コマンドにより変更される場合があるが、そのような場合にはその変更コマンドに連動して新しいノードＩＤを付与した情報をネットワーク内に送信することで全ノードのコンカチネーション設定情報テーブルの更新を行うことができる。すなわち、上記のクロスコネクト変更の場合と同様にして、まずノードＩＤの変更されたノードが新ノードＩＤを付与したコンカチネーション設定パターンを送信し、他のノードが次々に次のノードに情報を送信するとともに自ノードのコンカチネーション設定情報テーブルの更新を行う。また、変更前ノードＩＤと変更後ノードＩＤを送信するような方式でもよい。
【００６７】
次に特定のコマンドを用いる場合について図１１のフローチャートを用いて説明する。このコマンドを例えばＩＮＩＴ−ＣＮＣＴとする。
【００６８】
本コマンドが監視装置などから実行された場合、コマンドを受信したノードは自ノードのコンカチネーション設定情報テーブルに自ノードのＩＤを付与し、ループカウンタに１を設定し、動作タイマを設定してネットワーク上にそのコンカチネーション設定情報テーブルの情報（以下、テーブル情報という）をオーバヘッドを利用して送信する（ステップＳ１１）。
【００６９】
ステップＳ１２にてこのテーブル情報を受信したノードはそれがコマンドを受信した最初のノードでなければ（ステップＳ１３のＮＯ）、そのノードのコンカチネーション設定パターンをそのノードのノードＩＤの欄に記入し（ステップＳ１４）、記入がされたテーブル情報を次のノードに送信する（ステップＳ１５）。
【００７０】
受信情報に付与されたノードＩＤと合致するノード（ＩＮＩＴ−ＣＮＣＴを実行したノード、上記の最初のノードのこと）にコンカチネーション設定情報テーブルが一巡してきたら（ステップＳ１３におけるＹＥＳ）、このノードは全ノードの最新情報で更新されたテーブル情報でコンカチネーション設定情報テーブルを更新する。そしてループカウンタに２を設定し、このテーブル情報を再びネットワーク上に送信する（ステップＳ１６）。最初のノード以外の各ノードはループカウンタが２となっているテーブル情報でそれぞれのコンカチネーション情報設定テーブルを更新する（ステップＳ１７、ステップＳ１８のＮＯ、ステップＳ１９）。
【００７１】
受信テーブル情報に付与されたノードＩＤと合致するノード（ＩＮＩＴ−ＣＮＣＴを実行したノード）がループカウンタ２の情報を受信した場合（ステップＳ１８におけるＹＥＳ）は、この情報を破棄し動作タイマをクリアする（ステップＳ２０）。更に、更新完了を保守者に対しレポートで通知する。
【００７２】
もしも上記の処理の途中で回線不具合などでテーブル情報が不達となり、動作タイマがタイムアウトした場合は更新失敗を保守者に対し通知する。このように、動作タイマを用いることにより、テーブル情報の不達を認識できるようになる。
【００７３】
上記の方法により、各ノードで必要とするコンカチネーション設定情報であるコンカチネーション設定パターン、及びノードＩＤが変化する都度、更新されたコンカチネーション設定情報がリング内の全ノードに配信され、各ノードにおいては最新の正しいコンカチネーション設定情報を自動的に保持することができる。
【００７４】
本発明は、上記の実施の形態に限定されることなく、特許請求の範囲内で種々変更・応用が可能である。例えば、上記実施の形態では各ノードがコンカチネーション設定情報テーブルを保持し、切替要求に示されたノードＩＤに応じて設定すべきコンカチネーション設定パターンを決定しているが、ある１つのノードだけがコンカチネーション設定情報テーブルを保持し、そのノードが切替要求を受けた時点で、切替要求に示されたノードＩＤに対応するコンカチネーション設定パターンをＫ１、Ｋ２バイトの送信とともにオーバヘッドを利用して各ノードに送信するようにしてもよい。
【００７５】
（付記１）  双方向リング切替機能を備えたリングシステムを構成するための伝送装置であって、
双方向リング切替のための切替要求を受信信号から検出する手段と、
切替要求に含まれる伝送装置の識別子を用いて、その識別子に対応するリングシステムにおける伝送装置のコンカチネーション設定情報を取得する手段と、
取得したコンカチネーション設定情報に基づき予備回線に対してコンカチネーションの設定をする手段とを備えたことを特徴とする伝送装置。
【００７６】
（付記２）  前記取得する手段は、
リングシステムにおける各伝送装置のコンカチネーション設定情報を各伝送装置の識別子に対応付けて保持する手段と、
前記切替要求に含まれる識別子と同じ識別子に対応するコンカチネーション設定情報を前記保持する手段から取得する手段とを有する付記１に記載の伝送装置。
【００７７】
（付記３）  前記取得する手段は、
前記切替要求とともに受信するコンカチネーション設定情報を取得する手段を有する付記１に記載の伝送装置。
【００７８】
（付記４）  リングシステムにおける現用回線を流れる信号のコンカチネーション設定を検出する手段と、
検出したコンカチネーション設定の情報に自伝送装置の識別子を付加して他の伝送装置に送信する手段とを更に備えた付記２に記載の伝送装置。
【００７９】
（付記５）  前記送信する手段は、自伝送装置に対応付けられた識別子が変更されたときにその変更された識別子を前記コンカチネーション設定の情報に付加して他の伝送装置に送信する付記４に記載の伝送装置。
【００８０】
（付記６）  所定のコマンドを受信したときに、前記保持する手段に保持された保持情報に自伝送装置の識別子を付与して他の伝送装置に送信する手段と、
他の伝送装置から保持情報を受信したときに、その保持情報に自伝送装置のコンカチネーション設定情報を書き込み、他の伝送装置にその保持情報を送信する手段とを更に有する付記４に記載の伝送装置。
【００８１】
（付記７）  双方向リング切替機能を備えたリングシステムを構成する伝送装置におけるコンカチネーション設定方法であって、
双方向リング切替のための切替要求を受信信号から検出するステップと、
切替要求に含まれる伝送装置の識別子を用いて、その識別子に対応するリングシステムにおける伝送装置のコンカチネーション設定情報を取得するステップと、
取得したコンカチネーション設定情報に基づき予備回線に対してコンカチネーションの設定をするステップとを有することを特徴とするコンカチネーション設定方法。
【００８２】
（付記８）  前記伝送装置は、
リングシステムにおける各伝送装置のコンカチネーション設定情報を各伝送装置の識別子に対応付けて保持する手段を有し、
前記取得するステップは、
前記切替要求に含まれる識別子と同じ識別子に対応するコンカチネーション設定情報を前記保持する手段から取得するステップを有する付記７に記載のコンカチネーション設定方法。
【００８３】
（付記９）  前記取得するステップは、
前記切替要求とともに受信するコンカチネーション設定情報を取得するステップを有する付記７に記載のコンカチネーション設定方法。
【００８４】
（付記１０）  リングシステムにおける現用回線を流れる信号のコンカチネーション設定を検出するステップと、
検出したコンカチネーション設定の情報に自伝送装置の識別子を付加して他の伝送装置に送信するステップとを更に有する付記８に記載のコンカチネーション設定方法。
【００８５】
（付記１１）  前記送信するステップは、自伝送装置に対応付けられた識別子が変更されたときにその変更された識別子を前記コンカチネーション設定の情報に付加して他の伝送装置に送信するステップを有する付記１０に記載のコンカチネーション設定方法。
【００８６】
（付記１２）  所定のコマンドを受信したときに、前記保持する手段に保持された保持情報に自伝送装置の識別子を付与して他の伝送装置に送信するステップと、
他の伝送装置から保持情報を受信したときに、その保持情報に自伝送装置のコンカチネーション設定情報を書き込み、他の伝送装置にその保持情報を送信するステップとを更に有する付記１０に記載のコンカチネーション設定方法。
【００８７】
【発明の効果】
本発明によれば、主信号が迂回用の予備回線を流れる際のコンカチネーション設定遅延が無くなり、切替による信号救済を高速に行うことができる。また、その実現に必要なコンカチネーション設定情報についてもノード間で自動的に設定させるため、保守者の作業負担や設定ミス等の問題を出すことなく実現できる。更に、ＢＬＳＲ制御の時間的マージンが増えることで、１つのプロセッサでより多くのＢＬＳＲ切替制御を受持たせることが可能となり信頼性の高い伝送サービスを安価に提供できる。
【図面の簡単な説明】
【図１】ＢＬＳＲ切替えの概念を説明するための図である。
【図２】従来の伝送装置の構成例を示す図である。
【図３】Ｈ１、Ｈ２バイトのビット割り当てを示す図である。
【図４】従来の技術におけるＢＬＳＲの切替制御のシーケンス例を示す図である。
【図５】ＡＰＳバイトの構成を示す図である。
【図６】本発明の実施の形態における伝送装置の構成を示す図である。
【図７】本発明の実施の形態におけるコンカチネーション設定情報テーブルの内容を示す図である。
【図８】本発明の実施の形態におけるＢＬＳＲの切替制御のシーケンス例を示す図である。
【図９】現用回線のコンカチネーション設定が変更されたときにテーブル設定を実行する場合のフローチャートである。
【図１０】ＡＵ４をＳＴＭ１に収容する場合におけるオーバヘッドの構成を示す図である。
【図１１】特定のコマンドを用いてテーブル設定を実行する場合のフローチャートである。
【符号の説明】
１０、４０  伝送装置
１１、１２  Ｏ／Ｅ（光／電気変換部）
１３、１４  Ｅ／Ｏ（電気／光変換部）
１５、１６  オーバヘッド挿入部
１７、１８  オーバヘッド終端部
１９、２０  ポインター挿入部
２１、２２  ポインター検出部
２３、２４  ブリッジ
２５、２６  スイッチ
２７、２８  マトリクススイッチ
２９  トリビュタリインタフェース
３０、４５  ＢＬＳＲ制御部
４１、４２  ポインター終端部
４３  コンカチネーション情報制御部
４４  コンカチネーション設定情報テーブル
【図１】
2004304367.tif 000003
【図２】
2004304367.tif 000004
【図３】
2004304367.tif 000005
【図４】
2004304367.tif 000006
【図５】
2004304367.tif 000007
【図６】
2004304367.tif 000008
【図７】
2004304367.tif 000009
【図８】
2004304367.tif 000010
【図９】
2004304367.tif 000011
【図１０】
2004304367.tif 000012
【図１１】
2004304367.tif 000013